(57)【要約】【課題】本発明の目的は、人間の生活環境に発生したマイナスイオンによる効果を、長時間に渡り維持できるようにすることにある。また、そのために有用な屋内設置物であって、接地に連結するためのアース端子を有する屋内設置物を提供することにある。【解決手段】屋外に設けた接地と、屋内に設置した植物１であって根回りに微粉炭の層１２を設けたもの、又は、机６、カーテン２、置物３、表装材４ａ、４ｂ、５などであってその外面のうち、居住空間に接する面の少なくとも一部を導電性の面としたもの、などの屋内設置物とする。そして、植物１の根回りの前記微粉炭の層１２、又は、机６、カーテン２、置物３表装材４ａ、４ｂ、５の導電性の面と、屋外に設けた接地とを接地線７で結合した。さらには、アース端子を有する屋内設置物とする。【選択図】              図１
2004201602.tif 000002
【特許請求の範囲】
【請求項１】
接地（アース）と、屋内に設置した植物であって根回りに微粉炭の層を設けたもの、又は、家具、カーテン、置物、壁や天井の表装材などであって、その外面のうち居住空間に接する面の少なくとも一部を、導電性を有する線を複数並べてなる領域若しくは導電性を有する面（以下単に「導電性の面」という。）とし、
植物の根回りの前記微粉炭の層、又は、前記家具等の導電性の面と、前記接地とを接地線で結合したことを特徴とする植物、家具、カーテン、置物、壁や天井の表装材（以下単に「屋内設置物」という。）。
【請求項２】
樹木や草花などの植物であってその根回りを、植木鉢や園芸箱の内側に微粉炭の層を設け、前記微粉炭の層にアース材を差し込み、前記微粉炭の層の内側に培養土の層を設け、さらに、前記培養土の層に植物の根を植えた根回りとしたことを特徴とする植物。
【請求項３】
テーブル、机、タンスなどの家具であって、その外面の居住空間に接する面の少なくとも一部を導電性の面とし、さらに、前記導電性の面を接地線に連結するためのアース端子を設けたことを特徴とする家具。
【請求項４】
カーテンであって、横糸と縦糸の一方又は両方の糸の少なくとも一部に導電性の糸を用いて織った生地からなるものとし、前記導電性の糸同士を導通させ、さらに、前記導電性の糸を接地線に連結するためのアース端子を設けたことを特徴とするカーテン。
【請求項５】
置物であって、その外面の少なくとも一部を導電性の面とし、さらに、前記導電性の面を接地線に連結するためのアース端子を設けたことを特徴とする置物。
【請求項６】
壁や天井の表層材であって、居住空間に接する面の少なくとも一部を導電性の面とし、さらに、前記導電性の面を接地線に連結するためのアース端子を設けたことを特徴とする表装材。
【請求項７】
請求項６に記載した表装材であって、導電性の面の前面に開口を設けつつ化粧材を取り付けたことを特徴とする表装材。
【発明の詳細な説明】
【０００１】
【発明の属する技術分野】
本発明は人間の居住環境をマイナスイオンに満ちた快適なものとすることに係り、特に、マイナスイオンの発生と共に同時に発生するプラスイオンを積極的に引きつけてこれをアースすることにより、屋内をマイナスイオンに満ちた環境として長く維持することを可能とする屋内設置物に関する。
【０００２】
【従来の技術】
空気中にプラスイオンが多いと、人間の体内組織や自律神経は体調を維持するため無理にバランスをとろうとしてストレスを発生させる。一方、マイナスイオンが多いと新陳代謝が活発になる。このように、マイナスイオンは人間の健康維持や植物の生長などに良い影響を与えている。
（プラスイオン／マイナスイオン）の比率について、交通の激しい道路で（１．５／１）、工場地帯で（４／１）、マンションの部屋の中で（１．５／１）、滝のそばで（１／１．６）、森林の中で（１／２）などの測定値がある。このことから、都会の生活環境はプラスイオンに満ちた環境であって人間の生活に適していないことがわかる。
そこで、マイナスイオンに満ちた環境を提供するべく、多くの種類のイオン発生器が販売されており、また、炭の発する６．２７μｍの遠赤外線が水分子を共振させマイナスイオンを発生させるなどとして、部屋の中に炭を置くことなどが行われている。
また、人間の生活環境においても自然にマイナスイオンは発生する、例えば、水道の蛇口から水が落下して飛び跳ねても発生するし、風が吹いて空気中の水分が小さな粒に壊されても発生し、水分が蒸発して水蒸気になるときにもマイナスイオンは発生する。
しかし、マイナスイオンが発生するときは必ずプラスイオンも同時に発生するため、一端発生したマイナスイオンもやがてはプラスイオンと結びつき消えてしまい、長期に渡りマイナスイオンの効果を期待することはできない。
【０００３】
【発明が解決しようとする課題】
本発明は人間の生活環境において自然に発生したマイナスイオンや、イオン発生器により発生させたマイナスイオンによる効果を、長時間に渡り維持できるようにすることにある。
また、そのために有用な植物、家具、カーテン、置物、壁や天井の表層材などの屋内設置物であって、接地線に連結するためのアース端子を有する屋内設置物を提供することにある。
【０００４】
【課題を解決するための手段】
請求項１の発明は、屋外に設けた接地と、屋内に設置した植物であって根回りに微粉炭の層を設けたもの、又は、家具、カーテン、置物、壁や天井の表装材などであってその外面のうち、居住空間に接する面の少なくとも一部を、導電性の面とする。
ここで「導電性の面」は、一定の領域に導電性を有する線を適宜離して複数並べたものと、文字通り導電性を有する面としたものの両方を含むものとする。
また、「導電性を有する」には、素材自身を金、銀、銅、アルミニューム、鉄、亜鉛、錫、カーボンなど導電性を有する材質のものとする場合と、表面に薄い導電性の箔やシールを貼り付ける場合と、表面にメッキ、溶射、導電性塗料の塗布などにより導電性の被膜を設ける場合とを含むものとする。
そして、植物の根回りの前記微粉炭の層又は前記家具等の導電性の面と、屋外に設けた前記接地とを接地線で結合したことを特徴とする屋内設置物とする。
ここで屋外の接地は、敷地の中で最も自然電位の低い位置に銅の板材などを埋めて行うことが好ましい。地表には局部的に電位の差が認められ、マイナスイオンの多く存するところ程本発明による効果は大きくなるからである。
請求項２の発明は、樹木や草花などの植物であってその根回りを、植木鉢や園芸箱の内側に微粉炭の層を設け、前記微粉炭の層にアース材を差し込み、前記微粉炭の層の内側に培養土の層を設け、さらに、前記培養土の層に植物の根を植えた根回りとした植物とする。
このような樹木や草花を人間の居住空間に置いて、前記アース材と屋外の接地とを接地線でつなぐ。これにより、植物の根回りをマイナス電位としてその生育を助長するだけでなく、植物自身をマイナス電位とすることにより居住空間のプラスイオンを積極的に吸収させることができる。
請求項３の発明は、テーブル、机、タンスなどの家具であって、その外面の居住空間に接する面の全面又は一部の面を導電性の面とし、さらに、前記導電性の面を屋外の接地に連結するためのアース端子を設けた家具とする。
このような家具を人間の居住空間に置いて、家具のアース端子と屋外の接地とを接地線でつなぐ。これにより、前記導電性を有する面をマイナス電位として、居住空間のプラスイオンを積極的に吸収させることができる。
【０００５】
請求項４の発明は、カーテンであって、横糸と縦糸の一方又は両方の糸の少なくとも一部に導電性の糸を用いて織った生地として、導電性を有する線を適宜離して複数並べた領域を構成し、前記導電性の糸同士を導通させ、さらに、前記導電性の糸を接地線に連結するためのアース端子を設けたカーテンとする。
このようなカーテンを人間の居住空間に吊り下げ、カーテンのアース端子と屋外の接地とを接地線でつなぐ。これにより、カーテンの導電性の糸をマイナス電位として、居住空間のプラスイオンを積極的に吸収させることができる。
請求項５の発明は、置物であって、その外面の少なくとも一部を導電性を有する面とし、さらに、前記導電性を有する面を屋外の接地に連結するためのアース端子を設けた置物とする。
このような置物を人間の居住空間に置き、置物のアース端子と屋外の接地とを接地線でつなぐ。これにより、置物の導電性を有する面をマイナス電位として、居住空間のプラスイオンを積極的に吸収させることができる。
請求項６の発明は、壁や天井の表層材であって、居住空間に接する面の少なくとも一部を導電性の面とし、さらに、前記導電性の面を屋外の接地に連結するためのアース端子を設けた表装材とする。
このような表装材を人間の居住空間たる部屋の内装材として取り付け、表装材のアース端子と屋外の接地とを接地線でつなぐ。これにより、表装材の導電性を有する面をマイナス電位として、居住空間のプラスイオンを積極的に吸収させることができる。
請求項７の発明は、請求項６に記載した表装材であって、導電性の面の前面に開口を設けつつ化粧材を取り付けたことを特徴とする表装材とする。
開口を設けた化粧材はプラスイオンの吸収を阻害せず、かかる発明により、人の好みに合わせた多種類の表装材を提供できる。
【０００６】
【発明の実施の形態】
以下本発明の複数の実施例を図に示し説明する。各実施例に共通する屋外に設けた接地として、あらかじめ敷地の中で最も自然電位の低い位置に銅の板材を埋めておく。
図１に示した第１実施例は、樹木１４と根回りとからなる植物１の例である。根回りの構成は、植木鉢１１の内壁に沿って微粉炭の層１２を設け、微粉炭の層１２に銅棒からなるアース材１５を差し込み、その上側の先端をアース端子１５ａとして、アース端子１５ａと屋外の接地とを接地線７でつないだ。
さらに、微粉炭の層１２の内側に培養土の層１３を設け、培養土の層１３の中に樹木の根１４ａを植えた根回りとし、植木鉢１１を受皿１８に載せて部屋の中に置いた。
図２に示した第２実施例は、机６の上面６１の一部を導電性を有する天板６３とした机６の例である。
複数の脚６２と上面６１とを有する机６の上面に凹部を設け、前記凹部に導電性を有する天板６３をはめ込んだ机６とした。
天板６３はその表面６３ａの全面、裏面６３ｃの一部及び側面６３ｂの一部に金メッキを施し互いに導通させて導電性を与えた。そして裏面６３ｃのメッキに導通させてアース端子６４を設けた。
そして、アース端子６４と屋外の接地とを接地線７でつないだ。
図３に示した第３実施例は、導電性の繊維を織り込んでなるカーテン２の例である。
カーテン本体２１、２２は、横糸の一部をカーボン繊維からなる導電横糸２１ａ、２２ａとし、縦糸の一部もカーボン繊維からなる導電縦糸２１ｂ、２２ｂとして、導電横糸２１ａ（２２ａ）と導電縦糸２１ｂ（２２ｂ）とを互いに導通させ全体として導電繊維の網としたカーテン本体２１（２２）を構成する。
さらに、前記導電繊維の網と導通させてアース端子２１ｃ、２２ｃを設け、アース端子２１ｃ、２２ｃと屋外の接地とを接地線７でつないだ。
屋内に取り付けるときは、レール２３を壁や天井に取り付け、レール２３内を移動可能に保持された複数のコマ２４にカーテン本体２１、２２の上部を取り付けて吊り下げる。
本実施例は、カーテン本体２１、２２の両外の端部を固定して中央部のＡの線で分割した例であるが、カーテン本体２１、２２の端部を固定しない場合はレール２３とコマ２４を導電性のあるものとして、レール２３と屋外の接地とを導通させることにより本発明の実施は可能である。
【０００７】
図４に示した第４実施例は、その外面の少なくとも一部を導電性を有する面とした置物３の例である。
置物本体３１の外面の一部及び台３４の上面に導電性のシールを貼り、置物本体３１に貼った導電性のシールと導通させてアース端子３２を設け、置物本体３１と台３４に貼った導電性のシールを互いに導通させて置物３を構成した。
そして、アース端子３２と屋外の接地とを接地線７でつないだ。
図５に示した第５実施例は、和室において引き戸４６の上部にあるたれ壁４３に取り付けた表装材４ａと壁４４に取り付けた表装材４ｂの例である。
表装材４ａは導電性の線材を縦棧・横棧とした格子形状として四隅にアース端子４１ａを設けた構成とした。
一方、表装材４ｂはあらかじめ凹凸の模様を付けた表面に導電性の塗料を塗り、その四隅にアース端子４２ａを設けた構成とし、壁４４に合計８個の表装材４ｂを互いに導通させて取り付けた。
そして、アース端子４１ａ、４２ａと屋外の接地とをそれぞれ接地線７でつないだ。
図６に示した第６実施例は、和室の天井に取り付けるのに適した表装材５の例である。
表装材５は、導電性の角パイプからなる四角の枠５１ａと縦棧５１ｂ及び横棧５１ｃで導電性を有する格子状の面を構成し、その前面に開口５３を設けつつ杉の角棒を化粧材５２として取り付けた構成とした。
さらに、表装材５には図示しないアース端子を設け、屋内の天井に取り付けるときには、前記アース端子と屋外の接地とを接地線でつなぐ構成とした。
【０００８】
上記した植物１を部屋、廊下、作業場などの人間の居住空間に置くと、樹木１４の根回りをマイナス電位としてその生育を助長するだけでなく、樹木１４自身をマイナス電位とすることにより居住空間のプラスイオンを積極的に吸収させることができる。
また、机６、置物３を人間の居住空間に置いたり、カーテン２や表装材４ａ、４ｂ、５を人間の居住空間に取り付けると、人間の居住空間にマイナス電位の面が生じることになる。このマイナス電位の面は、居住空間に存在するマイナスイオンを遠ざけ、プラスイオンを積極的に吸収する。
このため、空気中に存在するプラスイオンの量を減少させ、自然に発生したマイナスイオンや、イオン発生器により発生させたマイナスイオンがプラスイオンと結合することを防止して、マイナスイオンの効果を長時間に渡り維持することができる。
【０００９】
【発明の効果】
本発明により、人間の生活環境において自然に発生したマイナスイオンや、イオン発生器により発生させたマイナスイオンによる効果を、長時間に渡り維持できるようにすることができた。
また本発明により、居住環境においてマイナスイオンの効果を長時間維持するために有用な植物、家具、カーテン、置物、壁や天井の表層材などの屋内設置物を提供することができた。
【図面の簡単な説明】
【図１】第１実施例の植物の正面の断面図である。
【図２】第２実施例の机の正面の断面図である。
【図３】第３実施例のカーテンの正面図である。
【図４】第４実施例の置物の正面図である。
【図５】第５実施例の表装材の取り付け状態を示した斜視図である。
【図６】第６実施例の表装材の斜視図である。
【符号の説明】
１  ：植物              ２  ：カーテン            ３  ：置物
４ａ：表装材            ４ｂ：表装材              ５  ：表装材
６  ：机                ７  ：接地線            １１  ：植木鉢
１２  ：微粉炭の層      １３  ：培養土の層        １４  ：樹木
１４ａ：根              １５  ：アース材          １５ａ：アース端子
１８  ：受皿            ２１  ：カーテン本体      ２１ａ：導電横糸
２１ｂ：導電縦糸        ２１ｃ：アース端子        ２２  ：カーテン本体
２２ａ：導電性横糸      ２２ｂ：導電縦糸          ２２ｃ：アース端子
２３  ：レール          ２４  ：コマ              ３１  ：置物本体
３２  ：アース端子      ３４  ：台                ４１ａ：アース端子
４２ａ：アース端子      ４３  ：たれ壁            ４４  ：壁
４６  ：引き戸          ５１ａ：枠                ５１ｂ：縦棧
５１ｃ：横棧            ５２  ：化粧材            ５３  ：開口
６１  ：上面            ６２  ：脚                ６３  ：天板
６３ａ：表面            ６３ｂ：側面              ６３ｃ：裏面
６４  ：アース端子
【図１】
2004201602.tif 000003
【図２】
2004201602.tif 000004
【図３】
2004201602.tif 000005
【図４】
2004201602.tif 000006
【図５】
2004201602.tif 000007
【図６】
2004201602.tif 000008